(57)【要約】【課題】  使用勝手に優れ、開封後でも粉末茶あるいは顆粒茶の品質を良好に維持し、ゴミの発生を抑制することのできる粉末顆粒茶用の収納容器を提供する。【解決手段】  粉末茶Ｔ１または顆粒茶Ｔ２を乾燥剤Ｄと共に収納する容器であって、下部の幅が上部の幅より広く設定され、少なくとも、粉末茶Ｔ１または顆粒茶Ｔ２を収納した状態で自立機能を有する容器本体１０と、容器本体１０の上部に粉末茶Ｔ１または顆粒茶Ｔ２を取り出すために設けられ、乾燥剤Ｄよりも小さい内径を持つ硬質樹脂製の取出筒体２０と、  取出筒体２０に螺合組付きする硬質樹脂製のキャップ体３０とで構成する。容器本体１０は、上部の片側に斜辺部１１を有する五角形状でガスバリア性を備えた合成樹脂製のシート片Ｓを２枚重ね、取出筒体２０が設けられる部分を除く周辺部を密封して形成し、取出筒体２０を斜辺部１１に略直交して設ける。【選択図】      図１
0003197143.tif 000002
【実用新案登録請求の範囲】
【請求項１】
粉末茶（Ｔ１）または顆粒茶（Ｔ２）を乾燥剤Ｄと共に収納する容器であって、
下部の幅が上部の幅より広く設定され，少なくとも，前記粉末茶または顆粒茶を収納した状態で自立機能を有する容器本体（１０）と、
前記容器本体の上部に前記粉末茶または顆粒茶を取り出すために設けられ，前記乾燥剤よりも小さい内径を持つ硬質樹脂製の取出筒体（２０）と、
前記取出筒体に螺合組付きする硬質樹脂製のキャップ体（３０）と、を備え、
前記容器本体は，上部の片側に斜辺部（１１）を有する五角形状でガスバリア性を備えた合成樹脂製のシート片（Ｓ）を２枚重ね，前記取出筒体が設けられる部分を除く周辺部が密封されて形成され、
前記取出筒体は，前記斜辺部に略直交して設けられたことを特徴とする粉末顆粒茶収納容器。
【請求項２】
粉末茶（Ｔ１）または顆粒茶（Ｔ２）を乾燥剤Ｄと共に収納する容器であって、
下部の幅が上部の幅より広く設定され，少なくとも，前記粉末茶または顆粒茶を収納した状態で自立機能を有する容器本体（１０）と、
前記容器本体の上部に前記粉末茶または顆粒茶を取り出すために設けられ，前記乾燥剤よりも小さい内径を持つ硬質樹脂製の取出筒体（２０）と、
前記取出筒体に螺合組付きする硬質樹脂製のキャップ体（３０）と、を備え、
前記容器本体は，上部の片側に斜辺部（１１）を有する五角形状でガスバリア性を備えた合成樹脂製のシート片（Ｓ）を２枚重ね，前記取出筒体が設けられる部分を除く周辺部が密封されて形成され、
前記取出筒体は，前記斜辺部に略直交して設けられ、
前記キャップ体は不正開封防止機能（Ｐ）を備えることを特徴とする粉末顆粒茶収納容器。
【請求項３】
前記容器本体（１０）の上端である上辺部（１２）は、前記乾燥剤（Ｄ）を投入できる長さを備え、前記粉末茶（Ｔ１）または顆粒茶（Ｔ２）および乾燥剤が投入された後に密封される最終密封部であることを特徴とする請求項１または２に記載の粉末顆粒茶収納容器。
【考案の詳細な説明】
【技術分野】
【０００１】
本考案は、粉末タイプのお茶（粉末茶）や顆粒タイプのお茶（顆粒茶）を収納する収納容器に関するものである。
【背景技術】
【０００２】
従来から粉末タイプや顆粒タイプの昆布茶が市場に出回っており、所定の容器に収納されて飲用および料理用の目的で広く親しまれている。この昆布茶は、多量分が比較的大きな缶容器や袋容器に収納され、あるいは少量分が小さな個包装容器に収納されている。なお、一般的なお茶を収納するための容器は、例えば特許文献１に記載されている。
【先行技術文献】
【特許文献】
【０００３】
【特許文献１】実開昭６１−１８３８６３号公報
【考案の概要】
【考案が解決しようとする課題】
【０００４】
しかし、従来の缶容器、袋容器および個包装容器には、以下の問題がある。すなわち、缶容器の場合では、蓋を開け、スプーンを使用して昆布茶を取り出した後、蓋を閉める必要がある。従って、蓋の開け閉めに手間が掛かり、使用勝手が極めて悪い。また、スプーンを取り出したり、洗浄したり、元の場所に戻すなどの作業を必要とするので、使用勝手をさらに悪くする。
【０００５】
また、袋容器の場合には、はさみを使って開封し、スプーンを使用して昆布茶を取り出した後、開封部分を折り返して袋容器を閉じる必要がある。従って缶容器の場合と同様に使用勝手が極めて悪い。また、開封部分を折り返して袋容器を閉じるため気密性が保てず、従って、昆布茶が湿気るなどしてその品質が著しく損なわれてしまう。
【０００６】
さらに、個包装容器の場合では、収納量が少量であるため、例えば、多量の昆布茶を料理に使用する場合には複数の個包装容器を開封する必要がある。従って、開封に手間が掛かって使用勝手が悪い。また、多くの個包装容器がゴミとして残ってしまう。
【０００７】
本考案はこうした問題に鑑み創案されたもので、使用勝手に優れ、開封後でも粉末茶あるいは顆粒茶の品質を良好に維持し、ゴミの発生を抑制することのできる粉末顆粒茶用の収納容器を提供することを課題とする。
【課題を解決するための手段】
【０００８】
図１乃至図７を参照して説明する。請求項１に記載の粉末顆粒茶収納容器１は、粉末茶Ｔ１または顆粒茶Ｔ２を乾燥剤Ｄと共に収納する容器であって、下部の幅が上部の幅より広く設定され、少なくとも、前記粉末茶Ｔ１または顆粒茶Ｔ２を収納した状態で自立機能を有する容器本体１０と、前記容器本体１０の上部に前記粉末茶Ｔ１または顆粒茶Ｔ２を取り出すために設けられ、前記乾燥剤Ｄよりも小さい内径を持つ硬質樹脂製の取出筒体２０と、  前記取出筒体２０に螺合組付きする硬質樹脂製のキャップ体３０とを備える。
【０００９】
そして、前記容器本体１０は、上部の片側に斜辺部１１を有する五角形状でガスバリア性を備えた合成樹脂製のシート片Ｓを２枚重ね、前記取出筒体２０が設けられる部分を除く周辺部を密封して形成されており、前記取出筒体２０は、前記斜辺部１１に略直交して設けられている。
【００１０】
請求項２に記載の粉末顆粒茶収納容器１は、粉末茶Ｔ１または顆粒茶Ｔ２を乾燥剤Ｄと共に収納する容器であって、下部の幅が上部の幅より広く設定され、少なくとも、前記粉末茶Ｔ１または顆粒茶Ｔ２を収納した状態で自立機能を有する容器本体１０と、前記容器本体１０の上部に前記粉末茶Ｔ１または顆粒茶Ｔ２を取り出すために設けられ、前記乾燥剤Ｄよりも小さい内径を持つ硬質樹脂製の取出筒体２０と、前記取出筒体２０に螺合組付きする硬質樹脂製のキャップ体３０とを備える。
【００１１】
また、前記容器本体１０は、上部の片側に斜辺部１１を有する五角形状でガスバリア性を備えた合成樹脂製のシート片Ｓを２枚重ね、前記取出筒体２０が設けられる部分を除く周辺部を密封して形成されており、前記取出筒体２０は、前記斜辺部１１に略直交して設けられている。そして、前記キャップ体３０は不正開封防止機能Ｐを備えている。
【００１２】
請求項３に記載の粉末顆粒茶収納容器１は、請求項１または２に記載の考案において、前記容器本体１０の上端である上辺部１２が、前記乾燥剤Ｄを投入できる長さを備え、前記粉末茶Ｔ１または顆粒茶Ｔ２および乾燥剤Ｄが投入された後に密封される最終密封部である。
【考案の効果】
【００１３】
請求項１に記載の粉末顆粒茶収納容器１は、容器本体１０、取出筒体２０およびキャップ体３０とで構成しているので、キャップ体３０を取り外して容器本体１０を手で持ち、斜めに傾けるのみで粉末茶Ｔ１または顆粒茶Ｔ２を取出筒体２０から極めて容易に取り出すことができ、スプーンやはさみなどを使用する必要がない。従って、使用勝手に優れる。
【００１４】
また、キャップ体３０を取出筒体２０に螺合して組付けることにより、容器本体１０の内部を密閉することができる。従って、開封後に粉末茶Ｔ１または顆粒茶Ｔ２の品質が低下するのを未然に防止することができる。さらに、粉末茶Ｔ１または顆粒茶Ｔ２を取り出した後にゴミが発生することもない。
【００１５】
請求項２に記載の粉末顆粒茶収納容器１は、請求項１に記載の考案と同様に、使用勝手に優れ、開封後に粉末茶Ｔ１または顆粒茶Ｔ２の品質が低下することがなく、さらにゴミを発生させることもない。
【００１６】
また、キャップ体３０は不正開封防止機能Ｐを備えるので、例えば、店頭において不正な開封が行われた場合には、それに容易に確認して対応することができる。
【００１７】
請求項３に記載の粉末顆粒茶収納容器１は、請求項１および２に記載の考案と同様の作用効果を発揮する。また、容器本体１０の上端である上辺部１２は、乾燥剤Ｄを投入できる長さを備え、粉末茶Ｔ１または顆粒茶Ｔ２および乾燥剤Ｄが投入された後に密封される最終密封部としているので、乾燥剤Ｄおよび粉末茶Ｔ１または顆粒茶Ｔ２を容器本体１０に容易に投入することができる。
【００１８】
なお、取出筒体２０の内径は乾燥剤Ｄよりも小さく設定されているので、上辺部１２から投入された乾燥剤Ｄは、粉末茶Ｔ１または顆粒茶Ｔ２を取出筒体２０から取り出す際に、当該取出筒体２０を通過して落下することがない。
【図面の簡単な説明】
【００１９】
【図１】本考案の実施形態に係る粉末顆粒茶収納容器の正面図である。
【図２】図１に示す容器の左側面図であり、（ａ）は空状態を示し、（ｂ）は粉末茶または顆粒茶を収納した状態を示す。
【図３】図１に示す容器の平面図であり、（ａ）は空状態を示し、（ｂ）は粉末茶または顆粒茶を収納した状態を示す。
【図４】図１におけるＸ−Ｘ線断面図であり、（ａ）は空状態を示し、（ｂ）は粉末茶または顆粒茶を収納した状態を示す。
【図５】図１に示す容器の一部拡大正面図である。
【図６】図１に示す容器の一部正面図である。
【図７】図５のＹ−Ｙ線断面図である。
【考案を実施するための形態】
【００２０】
本考案に係る粉末顆粒茶収納容器１の実施形態を、図１乃至図７に示す。これは、粉末茶Ｔ１または顆粒茶Ｔ２を乾燥剤Ｄと共に収納する容器であり、容器本体１０、取出筒体２０およびキャップ体３０を備える。なお、粉末茶Ｔ１および顆粒茶Ｔ２のそれぞれには、昆布茶、梅昆布茶あるいは椎茸茶などの各種のお茶が含まれる。
【００２１】
容器本体１０は、粉末茶Ｔ１または顆粒茶Ｔ２が投入された状態において、その下部の幅（前後幅）が上部の幅（前後幅）よりも広くなるように形成されており、従って、少なくとも粉末茶Ｔ１または顆粒茶Ｔ２を収納した状態では自立機能を発揮する（図１乃至図４参照）。
【００２２】
この自立機能は、図４に示すように、容器本体１０の下辺部１３に折返し部Ｆを形成し、投入した粉末茶Ｔ１または顆粒茶Ｔ２の自重等によってこの折返し部Ｆを直線状に伸ばすことにより、容器本体１０が自立するように構成している。
【００２３】
当該容器本体１０は、その上部の片側に斜辺部１１を有する五角形状でガスバリア性を備えた合成樹脂製のシート片Ｓを２枚重ねて形成している。より具体的には、正面から見て縦長で長方形状のシート片Ｓ（たとえば１６０ｍｍ×１０５ｍｍ）の上側の片側隅部を直角三角形状に切り欠いて斜辺部１１を有する五角形状とし、それら２枚のシート片Ｓを自立させるように重ね合わせた形態である。これにより、前記した自立機能を有し、薄くて袋状の容器本体１０を形成している（いわゆるスタンドパックあるいはスタンドパウチ）。
【００２４】
なお、斜辺部１１を形成する前記直角三角形状の短辺側（水平側）は容器本体１０の幅の約１／２とし、その長辺側は容器本体１０の高さの約１／２〜１／３としている。すなわち、この容器本体１０は、斜辺部１１の他に、水平方向に配置される上辺部１２および下辺部１３と、垂直方向に配置される左辺部１４および右辺部１５を備える。なお、斜辺部１１の傾斜角度は限定されるものではないが、本実施形態では、左辺部１４に対して約６０度の角度で形成している。
【００２５】
また、この容器本体１０においては、斜辺部１１の取出筒体２０が設けられる部分を除く他の周辺部（上辺部１２、下辺部１３、左辺部１４、右辺部１５）を密封して密封部Ｃとしている（図１参照）。この密封部Ｃは例えば熱溶着によって形成することができる。密封部Ｃの幅は限定されないが、本実施形態では、下辺部１３を除き約５ｍｍに設定し強固な密閉力を確保している。
【００２６】
取出筒体２０は硬質樹脂製であり、容器本体１０の斜辺部１１に粉末茶Ｔ１または顆粒茶Ｔ２を取り出すために設けられており、乾燥剤Ｄよりも小さい内径を備える。この取出筒体２０は、容器本体１０の斜辺部１１に密着する基部２２と、その基部２２から立設された筒本体部２１を備える。なお、筒本体部２１の外周面には雄ねじ（図示せず）が形成されている。この取出筒体２０は、斜辺部１１に略直交して設けられている。
【００２７】
キャップ体３０は、硬質合成樹脂製であり、取出筒体２０の外周面に螺合組付きする。従って、キャップ体３０の内周面には筒本体部２１の雄ねじに螺合する雌ねじ（図示せず）が形成されている。
【００２８】
なお、このキャップ体３０は不正開封防止機能Ｐを備えている（図５および図７参照）。不正開封防止機能Ｐの構造は限定されるものではないが、本実施形態では、取出筒体２０の筒本体部２１の下端部に連結したリング部３２と、このリング部３２に複数の肉薄部３３を介して接続されたキャップ本体部３１を使用して構成している。すなわち、筒本体部２１の外周面に複数（四つ）突起部２１ａを形成すると共に、リング部３２の内周面に突起部２１ａのそれぞれに対応する複数（四つ）の凸部３２ａを設けている。キャップ本体部３１を開封する方向に回転させると、筒本体部２１の突起部２１ａがリング部３２の凸部３２ａに突き当たり、その状態でキャップ本体部３１をさらに回転させると肉薄部３３が切断される。従って、その際の切断音や切断感覚を感じることができる。その結果、そうした切断音や切断感覚を感じない場合には、すでに不正に開封されていると判断することができる。
【００２９】
なお、本実施形態においては、容器本体１０の上辺部１２は、乾燥剤Ｄを投入できる長さを備えるものとし、また、粉末茶Ｔ１または顆粒茶Ｔ２および乾燥剤Ｄが投入された後に、例えば熱溶着で密封される最終密封部としている。
【００３０】
また、粉末茶や顆粒茶として、例えば昆布或いは梅昆布若しくは椎茸の粉末茶や顆粒茶が挙げられる。
【００３１】
上記した構成の本実施形態に係る粉末顆粒茶収納容器１は、以下の作用効果を発揮する。
（イ）容器本体１０、取出筒体２０およびキャップ体３０で構成しているので、キャップ体３０を取り外して容器本体１０を手で持ち、斜めに傾けるのみで粉末茶Ｔ１または顆粒茶Ｔ２を取出筒体２０から極めて容易に取り出すことができ、スプーンやはさみなどを使用する必要がない。従って、スプーンなどを取り出したり、洗浄したり、元の場所に戻すなどの手間が不要である。従って、極めて使用勝手に優れる。
【００３２】
（ロ）キャップ体３０を取出筒体２０に螺合して組付けることにより、容器本体１０の内部を密閉することができる。従って、開封後に粉末茶Ｔ１または顆粒茶Ｔ２が湿気を帯びたり、風味が失われるなどして品質が低下するといった事態を未然に防止することができる。
【００３３】
（ハ）粉末茶Ｔ１または顆粒茶Ｔ２を取り出すたびにゴミが発生するといった事態を防止することができる。
（ニ）容器本体１０はガスバリア性を備えた合成樹脂製のシート片Ｓで形成しているので、粉末茶Ｔ１または顆粒茶Ｔ２の風味を確実に封じ込めることができ、良好な品質を長期にわたって維持することができる。
【００３４】
（ホ）容器本体１０は、少なくとも粉末茶Ｔ１または顆粒茶Ｔ２を収納した状態で自立機能を有するので、立てた状態で置くことができる。従って、余分な場所をとらず、また、使い勝手が良い。
【００３５】
（ヘ）容器本体１０に斜辺部１１を設け、その斜辺部１１にほぼ直交して取出筒体２０を設けているので、当該取出筒体２０も容器本体１０（左辺部１４）に対して傾斜状態とすることができる。従って、粉末茶Ｔ１または顆粒茶Ｔ２を適量ずつ容易に取り出すことができる。また、粉末茶Ｔ１または顆粒茶Ｔ２の残量が少なくなっても、当該粉末茶Ｔ１または顆粒茶Ｔ２を取出筒体２０から容易に取り出すことができる。
【００３６】
ちなみに、取出筒体２０が例えば上辺部１２に直交する状態（垂直方向状態）で設けられていると、粉末茶Ｔ１または顆粒茶Ｔ２を取り出す際に容器本体１０を大きく傾ける必要が生じると共に、適量以上の粉末茶Ｔ１または顆粒茶Ｔ２が不要に取り出されてしまい易い。その逆に、取出筒体２０が左辺部１４に直交する状態（水平方向状態）で設けられていると、残量の少なくなった粉末茶Ｔ１または顆粒茶Ｔ２を取出筒体２０から取り出すのが困難となってしまう。
【００３７】
（ト）取出筒体２０の内径を乾燥剤Ｄよりも小さく設定しているので、粉末茶Ｔ１または顆粒茶Ｔ２を取り出す際に乾燥剤Ｄがその取出筒体２０を通過して落下することがない。
【００３８】
（チ）取出筒体２０を斜辺部１１に設けているので、図６に示すように、例えば、上辺部１２や左辺部１４に設けた場合と比較して、取出筒体２０（またはキャップ体３０）の先端部分が上辺部１２および左辺部１４の延長線Ｌから上方および側方へ突出しない（全く突出しない、あるいは突出する場合でも突出長さが小さい）。従って、例えば調理中に、取出筒体２０（またはキャップ体３０）が邪魔にならない。
【００３９】
（リ）キャップ体３０は不正開封防止機能Ｐを備えるので、例えば、店頭において不正な開封が行われた場合には、それに容易に確認して対応することができる。
【００４０】
（ヌ）容器本体１０の上辺部１２は、乾燥剤Ｄを投入できる長さを備え、粉末茶Ｔ１または顆粒茶Ｔ２および乾燥剤Ｄが投入された後に密封される最終密封部としているので、乾燥剤Ｄおよび粉末茶Ｔ１または顆粒茶Ｔ２を容器本体１０に容易に投入することができる。
【００４１】
（ル）容器本体１０に粉末茶Ｔ１または顆粒茶Ｔ２と共に乾燥剤Ｄを投入しているので、当該粉末茶Ｔ１または顆粒茶Ｔ２が湿気るのを効果的に防止することができる。
【符号の説明】
【００４２】
１        粉末顆粒茶収納容器
１０      容器本体
１１      斜辺部
１２      上辺部
１３      下辺部
１４      左辺部
１５      右辺部
２０      取出筒体
２１      筒本体部
２１ａ    突起部
２２      基部
３０      キャップ体
３１      キャップ本体部
３２      リング部
３２ａ    凸部
３３      肉薄部
Ｃ        密封部
Ｄ        乾燥剤
Ｆ        折返し部
Ｌ        延長線
Ｐ        不正開封防止機能
Ｓ        シート片
Ｔ１      粉末茶
Ｔ２      顆粒茶
【図１】
0003197143.tif 000003
【図２】
0003197143.tif 000004
【図３】
0003197143.tif 000005
【図４】
0003197143.tif 000006
【図５】
0003197143.tif 000007
【図６】
0003197143.tif 000008
【図７】
0003197143.tif 000009